(57)【要約】【課題】掃除機本体の取っ手部を持って掃除機本体を持ち上げた際に、床面等とホースとが接触・干渉してしまうことを防止することができ、使用者が掃除機本体を持ち運ぶ際の利便性を向上することができる電気掃除機を提供する。【解決手段】電気掃除機において、掃除機本体と、前記掃除機本体の前部に設けられ、ホースが接続されるホース接続口と、前記掃除機本体における前記掃除機本体の重心よりも後方に配置されかつ長手が前記掃除機本体の左右方向に沿って配置された握り部分を有する取っ手部と、を備え、前記握り部分と前記重心とを結ぶ第１の線と、前記ホース接続口への前記ホースの接続方向に沿って延長した第２の線とがなす角度が直角以下とする。【選択図】図４
2014083207.tif 000002
【特許請求の範囲】
【請求項１】
掃除機本体と、
前記掃除機本体の前部に設けられ、ホースが接続されるホース接続口と、
前記掃除機本体における前記掃除機本体の重心よりも後方に配置されかつ長手が前記掃除機本体の左右方向に沿って配置された握り部分を有する取っ手部と、を備え、
前記握り部分と前記重心とを結ぶ第１の線と、前記ホース接続口への前記ホースの接続方向に沿って延長した第２の線とがなす角度が直角以下となることを特徴とする電気掃除機。
【請求項２】
前記握り部分は、前記第１の線と直交する平面部を備えたことを特徴とする請求項１に記載の電気掃除機。
【請求項３】
前記ホース接続口は、前記掃除機本体における前記重心よりも下方に配置されることを特徴とする請求項１又は請求項２に記載の電気掃除機。
【発明の詳細な説明】
【技術分野】
【０００１】
この発明は、電気掃除機に関するものである。
【背景技術】
【０００２】
従来における電気掃除機においては、掃除機本体を持ち上げるための取っ手が、掃除機本体の後部側上方において後ろ斜め上方へと突出して設けられているものがある。そして、このような取っ手が設けられた場合において、ホースが掃除機本体を床面上に載置した際に床面と略平行となるように掃除機本体の前部に取り付けられるものが知られている（例えば、特許文献１参照）。
【先行技術文献】
【特許文献】
【０００３】
【特許文献１】特開２０１２−０５０７６２号公報
【発明の概要】
【発明が解決しようとする課題】
【０００４】
しかしながら、特許文献１に示されるような従来の電気掃除機においては、掃除機本体の取っ手を持って掃除機本体を持ち上げた場合に、掃除機本体の前側が下に傾く。ここで、ホースは、掃除機本体の前部に、掃除機本体を床面上に載置した際に床面と略平行となるように取り付けられている。このため、掃除機本体の前側が下に傾くと、ホースが掃除機本体から延び出る方向も下方向へと傾いてしまう。こうして、ホースが掃除機本体から下方向へと延び出てしまうと、ホースと床面とが接触・干渉してしまい、掃除機本体の運搬等に甚だ不都合である。
【０００５】
この発明は、このような課題を解決するためになされたもので、掃除機本体の取っ手部を持って掃除機本体を持ち上げた際に、床面等とホースとが接触・干渉してしまうことを防止することができ、使用者が掃除機本体を持ち運ぶ際の利便性を向上することができる電気掃除機を得るものである。
【課題を解決するための手段】
【０００６】
この発明に係る電気掃除機においては、掃除機本体と、前記掃除機本体の前部に設けられ、ホースが接続されるホース接続口と、前記掃除機本体における前記掃除機本体の重心よりも後方に配置されかつ長手が前記掃除機本体の左右方向に沿って配置された握り部分を有する取っ手部と、を備え、前記握り部分と前記重心とを結ぶ第１の線と、前記ホース接続口への前記ホースの接続方向に沿って延長した第２の線とがなす角度が直角以下となる構成とする。
【発明の効果】
【０００７】
この発明に係る電気掃除機においては、掃除機本体の取っ手部を持って掃除機本体を持ち上げた際に、床面等とホースとが接触・干渉してしまうことを防止することができ、使用者が掃除機本体を持ち運ぶ際の利便性を向上することができるという効果を奏する。
【図面の簡単な説明】
【０００８】
【図１】この発明の実施の形態１に係る電気掃除機の全体構成を示す斜視図である。
【図２】この発明の実施の形態１に係る掃除機本体にホースを取り付ける状態を説明する図である。
【図３】この発明の実施の形態１に係る掃除機本体の側面図である。
【図４】この発明の実施の形態１に係る掃除機本体を取っ手により支持した状態を示す側方要部断面図である。
【図５】図４中のＡで示す部分を拡大した断面図である。
【図６】この発明の実施の形態２に係る掃除機本体を取っ手により支持した状態を示す側方要部断面図である。
【図７】図６中のＢで示す部分を拡大した断面図である。
【図８】この発明の実施の形態３に係る掃除機本体の表示部を示す図である。
【発明を実施するための形態】
【０００９】
この発明を添付の図面に従い説明する。各図を通じて同符号は同一部分又は相当部分を示しており、その重複説明は適宜に簡略化又は省略する。
【００１０】
実施の形態１．
図１から図４は、この発明の実施の形態１に係るもので、図１は電気掃除機の全体構成を示す斜視図、図２は掃除機本体にホースを取り付ける状態を説明する図、図３は掃除機本体の側面図、図４は掃除機本体を取っ手により支持した状態を示す側方要部断面図、図５は図４中のＡで示す部分を拡大した断面図である。
【００１１】
図１において、吸込口体１は、下向きに形成された開口から、床面上のごみ（塵埃）を空気と一緒に吸い込むためのものである。吸込口体１の長手方向略中央部には、排気のための接続部が設けられている。吸込口体１の接続部には、吸引パイプ２の一側（吸気側）の端部が接続される。この吸引パイプ２は、中空円筒状を呈する直状の部材からなる。吸引パイプ２の他側（排気側）の端部には、接続パイプ３の一側（吸気側）の端部が接続される。この接続パイプ３は、途中で折れ曲がった中空円筒状の部材からなる。
【００１２】
接続パイプ３には、把持部３ａが設けられている。把持部３ａは、電気掃除機の使用者が持って操作するためのものである。把持部３ａには、電気掃除機の運転を制御するための操作スイッチが設けられている。接続パイプ３の他側（排気側）の端部には、ホース４の一側（吸気側）の端部が接続される。このホース４は、可撓性を備えた蛇腹状を呈する部材からなる。
【００１３】
ホース４の他側（排気側）の端部は、掃除機本体６に接続される。より詳しくは、ホース４の他側（排気側）の端部には、ホース接続部５が形成されている。このホース接続部５に対応して、掃除機本体６の前端部近傍には、ホース接続口６ａが形成されている。そして、ホース接続部５をホース接続口６ａに挿入係合することで、ホース４が掃除機本体６に接続される（図２）。
【００１４】
さらに、図３も参照しながら、掃除機本体６について説明する。掃除機本体６は、ごみを含む空気（含塵空気）からごみを分離し、ごみが取り除かれた空気（清流空気）を排出する（例えば、室内に戻す）ためのものである。掃除機本体６には、掃除機本体６へと流入した含塵空気中のごみ（塵埃）を捕捉して集める集塵部６ｂが設けられている。
【００１５】
吸込口体１の開口から掃除機本体６の集塵部６ｂまでが、吸引パイプ２、接続パイプ３及びホース４の内部を経由して一続きに形成される。すなわち、吸込口体１、吸引パイプ２、接続パイプ３及びホース４は、含塵空気を掃除機本体６の集塵部６ｂへと流入させるための吸引経路の一部を構成している。
【００１６】
なお、掃除機本体６には、図示しない電動送風機が内蔵されている。この電動送風機により、前述した吸引経路を経由して掃除機本体６の集塵部６ｂへと含塵空気を吸引する吸引動作が駆動される。また、掃除機本体６の左右両側には車輪６ｃが取り付けられている。
【００１７】
掃除機本体６の後部側の上方には、取っ手部７が設けられている。この取っ手部７は、電気掃除機の使用者が、掃除機本体６を持ち上げて運搬等する際に用いる。使用者が取っ手部７を握り上方に上げることで、掃除機本体６を持ち上げることができる。取っ手部７は、握り部分の長手が掃除機本体６の左右方向、換言すれば掃除機本体６の前後方向に略直交しかつ掃除機本体６の底面と略平行な方向、に沿って配置される。
【００１８】
そして、握り部の両端が掃除機本体６の左右両側に固定されている。この固定される位置は掃除機本体６における車輪６ｃの前寄りの上方である。このようにして、取っ手部７は、掃除機本体６の後部側上方において後ろ斜め上方へと突出するように設けられている。
【００１９】
図４は、図３のように構成された掃除機本体６を、取っ手部７を用いて持ち上げた状態を示すものである。また、図５は図４の取っ手部７の部分（図４中のＡ部）を拡大したものである。
前述したように、取っ手部７は、掃除機本体６の後部側上方において後ろ斜め上方へと突出するように設けられている。ここで、掃除機本体６の重心８は図３で示すような位置にある。したがって、取っ手部７の握り部分は掃除機本体６の重心８よりも掃除機本体６の後方側に位置している（逆に言えば、掃除機本体６の重心８は取っ手部７の握り部分よりも掃除機本体６の前方側に位置している）。
【００２０】
取っ手部７と重心８とがこのような位置関係にある場合、使用者が取っ手部７を用いて掃除機本体６を持ち上げると、前述したように取っ手部７の握り部分の長手が掃除機本体６の左右方向に沿って配置されているため、図３に示すように掃除機本体６の前側が下方へと傾く。この際、掃除機本体６は、取っ手部７の握り部分において使用者の手が掃除機本体６の重量を支持する支持点７ａの鉛直下方に重心８が位置する姿勢で安定する。
【００２１】
ここで、前述したようにホース４は可撓性を有する蛇腹状を呈するが、ホース４を掃除機本体６のホース接続口６ａへと接続するためのホース接続部５は、ホース接続部５とホース接続口６ａとの係合の確実性や着脱時の便宜等を考慮して、硬質で直状な略円筒状である。そして、このホース接続部５の形状に対応して、ホース接続部５が挿入係合されるホース接続口６ａの形状も、その凹部が、直状の略円筒状に形成されている。
【００２２】
そして、いま、ホース接続口６ａの接続方向に沿って延長した線１０（ホース接続口６ａの略円筒状凹部の中心軸線とも言える）を考えると、取っ手部７の握り部分における支持点７ａと重心８とを結ぶ線９と、ホース接続口６ａへのホース接続部５の接続方向に沿って延長した線１０とがなす角αが直角（９０°）以下となるように構成されている（図３は、角αを直角とした例を示している）。
【００２３】
取っ手部７の握り部分における支持点７ａの鉛直下方に重心８が位置した状態では、支持点７ａと重心８とを結ぶ線９は鉛直線となる。支持点７ａと重心８とを結ぶ線９とホース接続口６ａの接続方向に延長した線１０とがなす角αを直角以下とすることで、ホース接続口６ａは、水平方向かあるいは水平より上方向に向くことになる。
【００２４】
すなわち、使用者が取っ手部７により掃除機本体６を持ち上げた際に、ホース接続口６ａに対するホース接続部５の接続方向が水平方向又は水平より上方向となるため、ホース４は、掃除機本体６から水平方向又は水平より上方向へと延びることになる。
【００２５】
そして、このため、使用者が取っ手部７により掃除機本体６を持ち上げた際に、略水平面である床面等とホース４とが接触・干渉してしまうことを防止することができ、使用者が掃除機本体６を持ち運ぶ際の利便性を大幅に向上することが可能である。また、掃除機本体６の持ち運び時に、ホース４と床面等とが不必要に接触することを防止することができるため、ホース４と床面等との接触・衝突によるホース４（特にホース４の蛇腹部とホース接続部５の境界部）の劣化や破損等を未然に防ぐことができ、ホース４の長寿命化に寄与することができる。
【００２６】
なお、掃除機本体６の上面は後方ほど高く前方にいくほど徐々に低くなる傾斜状である。また、ホース接続口６ａは、前述したように掃除機本体６の前端部近傍に設けられている。したがって、ホース接続口６ａは、掃除機本体６における重心８よりも下方に配置されている。
【００２７】
そして、掃除機本体６を略水平面である床面に載置した場合、ホース接続口６ａに対するホース接続部５の接続方向は上向きとなる。したがって、図２に示すように、床面に障害物１１がある場合に、ホース接続口６ａが掃除機本体６の重心８より下方でかつ上向きに設けられているため、使用者が把持部３ａを引くことで掃除機本体６の前側が上方へと持ち上げられるように力が働き、障害物１１や段差を容易に乗り越えることができる。
【００２８】
また、ホース接続口６ａが上向きに設けられているため、例えば、掃除機本体６を床面等の低所に載置したまま、カーテンレール等の高所を清掃する際に、ホース４により掃除機本体６の前側が不必要に持ち上げられてしまうことを防止することができる。
【００２９】
以上のように構成された電気掃除機は、掃除機本体と、掃除機本体の前部に設けられ、ホースが接続されるホース接続口と、掃除機本体における掃除機本体の重心よりも後方に配置されかつ長手が掃除機本体の左右方向に沿って配置された握り部分を有する取っ手部と、を備えたものである。そして、取っ手部の握り部分と重心とを結ぶ第１の線と、ホース接続口へのホースの接続方向に沿って延長した第２の線とがなす角度が直角以下となっている。
【００３０】
このため、掃除機本体の取っ手部を持って掃除機本体を持ち上げた際に、床面等とホースとが接触・干渉してしまうことを防止することができ、使用者が掃除機本体を持ち運ぶ際の利便性を向上することができる。
【００３１】
実施の形態２．
図６及び図７は、この発明の実施の形態２に係るもので、図６は掃除機本体を取っ手により支持した状態を示す側方要部断面図、図７は図６中のＢで示す部分を拡大した断面図で、実施の形態１の図５に相当する。
ここで説明する実施の形態２は、前述した実施の形態１の構成において、掃除機本体に設けられた取っ手部の握り部分の断面形状を変更した変形例である。
【００３２】
具体的には、図６及び図７に示すように、取っ手部７の握り部分のうち、使用者が取っ手部７を用いて掃除機本体６を持ち上げた際に鉛直下側となる部分について、断面形状が略直線状となるように平面部７ｂが形成されている。この平面部７ｂは、支持点７ａと重心８とを結ぶ線９に対して略直交している。
他の構成については実施の形態１と同様であって、その詳細説明は省略する。
【００３３】
なお、このような平面部７ｂを設けることにより、掃除機本体６の重量を支持する部分はより厳密には断面図上で点ではなく線となると言える（断面図上ではなく実際の立体的な状況で考えると、実施の形態１の場合は線で支持していたのに対し、この実施の形態２では平面部７ｂの面で支持することになる）。
【００３４】
ここで、平面部７ｂは、掃除機本体６を取っ手部７により支持した際の鉛直線に対して略直交するように形成されている。重心８から平面部７ｂへと垂線を下ろした場合、この垂線は鉛直線となる。そこで、当該垂線と平面部７ｂとの交点を支持点７ａとすることで、支持点７ａと重心８とを結ぶ線９を定めてやれば、実施の形態１と同様にして、支持点７ａと重心８とを結ぶ線９とホース接続口６ａの接続方向に延長した線１０とがなす角αを決めることができる。そして、この実施の形態２においては、このようにして決めた角αが直角以下となるようにホース接続口６ａに対するホース接続部５の接続方向が定められる。
【００３５】
以上のように構成された電気掃除機は、実施の形態１と同様の効果を奏することができるのに加えて、さらに、取っ手部７を握って掃除機本体６を持ち上げた場合に、取っ手部７の握り部分の鉛直下側となる面が平面部７ｂとなっているため、安定して支持することができるとともに、使用者の手が痛くなったりすることがない。
【００３６】
実施の形態３．
図８は、この発明の実施の形態３に係るもので、掃除機本体の表示部を示す図である。なお、図８中の図面に向かって右上に記載されているのが掃除機本体の全体図である。そして、図８中の図面に向かって左下に記載されているのが掃除機本体の全体図中のＡで示す部分の拡大図である。
【００３７】
ここで説明する実施の形態３は、前述した実施の形態１又は実施の形態２の構成において、掃除機本体のホース接続口の上側に掃除機本体の運転状態等を表示する表示部を設けたものである。
【００３８】
具体的には、図８に示すように、掃除機本体６におけるホース接続口６ａの周囲であって、ホース接続口６ａの上側には、表示部１２が設けられている。この表示部１２は、掃除機本体６の運転状態を示すランプ（図８中の「エコモード」、「弱」、「強」）及び集塵部６ｂに規定量以上のごみが溜まっていることを示すランプ（図８中の「ゴミすて」）を備えている。
【００３９】
前述したように、掃除機本体６の上面は後方ほど高く前方にいくほど徐々に低くなる傾斜状である。したがって、掃除機本体６におけるホース接続口６ａの周囲であって、ホース接続口６ａの上側に、掃除機本体６の運転状態等を表示する表示部１２を設けることで、使用者は表示部１２を容易に視認することが可能である。
【符号の説明】
【００４０】
１  吸込口体、  ２  吸引パイプ、  ３  接続パイプ、  ３ａ  把持部、  ４  ホース、  ５  ホース接続部、  ６  掃除機本体、  ６ａ  ホース接続口、  ６ｂ  集塵部、  ６ｃ  車輪、  ７  取っ手部、  ７ａ  支持点、  ７ｂ  平面部、  ８  重心、  ９  支持点７ａと重心８とを結ぶ線、  １０  ホース接続口６ａの接続方向に延長した線、  １１  障害物、  １２  表示部。
【図１】
2014083207.tif 000003
【図２】
2014083207.tif 000004
【図３】
2014083207.tif 000005
【図４】
2014083207.tif 000006
【図５】
2014083207.tif 000007
【図６】
2014083207.tif 000008
【図７】
2014083207.tif 000009
【図８】
2014083207.tif 000010